(57)【要約】  本発明の特定の実施形態は、ＷＦＡＰの周辺の最新のマクロＢＳ情報及びＷＦＡＰネイバー情報を得るように自動隣接関係（ＡＮＲ）操作を提供するＷｉＭＡＸ自己組織型ネットワーク（ＳＯＮ）の最適化のためのシステム及び方法を提供する。一実施形態では、ＷＦＡＰが隣接基地局情報の変化を検出する。その後、ＷＦＡＰは、更新された隣接基地局情報を認証のためにＳＯＮサーバに送信する。ＳＯＮサーバから認証を受けた後、ＷＦＡＰは、更新された隣接基地局情報を用いて、自らの隣接関係テーブルを更新する。【選択図】  図１
2013509816.tif 000002
【特許請求の範囲】
【請求項１】
ＷｉＭＡＸフェムト自己組織型ネットワーク（ＳＯＮ）を最適化する方法であって、
隣接関係テーブルを保持するＷｉＭＡＸフェムトセルアクセスポイント（ＷＦＡＰ）によって、隣接基地局情報の変化を検出するステップと、
更新された隣接基地局情報を一つ以上のＳＯＮサーバに送信するステップと、
前記ＳＯＮサーバのうちの少なくとも一つからの認証に応答して、前記更新された隣接基地局情報の変化に基づいて前記隣接関係テーブルを更新するステップと
を含む方法。
【請求項２】
前記隣接基地局情報の変化を検出するステップが、移動局報告メッセージを検出するステップを含む、請求項１に記載の方法。
【請求項３】
前記隣接基地局情報の変化を検出するステップが、制御されていない又は予測されていないハンドオーバーイベントを検出するステップを含む、請求項１に記載の方法。
【請求項４】
一つ以上の他のＷＦＡＰにそれぞれ関連付けられた一つ以上の他の隣接関係テーブルを、前記ＳＯＮサーバのうちの少なくとも一つからの認証に応答して更新するステップを更に含む、請求項１に記載の方法。
【請求項５】
前記ＳＯＮサーバのうちの少なくとも一つに確認メッセージを送信するステップを更に含む、請求項１に記載の方法。
【請求項６】
ＷｉＭＡＸフェムト自己組織型ネットワーク（ＳＯＮ）を最適化する方法であって、
少なくとも一つのＳＯＮサーバによって、隣接基地局情報の変化を検出するステップと、
更新された隣接基地局情報を少なくとも一つのＷｉＭＡＸフェムトセルアクセスポイント（ＷＦＡＰ）に送信するステップと、
前記ＷＡＦＰの隣接基地局に関する変化情報を少なくとも一つのＳＯＮサーバから受信した後、該ＷＦＡＰによって更新を行うステップと
を含む方法。
【請求項７】
前記隣接基地局情報の変化を検出するステップが、隣接基地局に関連付けられた変化指標を受信するステップを含む、請求項６に記載の方法。
【請求項８】
前記変化指標が、少なくとも一つの基地局の設置又は撤去のいずれかを示す情報を含んでいる、請求項７に記載の方法。
【請求項９】
前記変化指標が、一つの基地局の障害を示す情報を含んでおり、該障害にはバックホールオフラインが含まれる、請求項７に記載の方法。
【請求項１０】
前記変化指標が、少なくとも一つの基地局の撤去に関連付けられた警告を含んでいる、請求項７に記載の方法。
【請求項１１】
前記変化指標が、二つ以上のＷＦＡＰの隣接関係テーブル間の隣接規約（ｎｅｉｇｈｂｏｒ  ａｇｒｅｅｍｅｎｔ）を含んでいる、請求項７に記載の方法。
【請求項１２】
ＷｉＭＡＸフェムト自己組織型ネットワーク（ＳＯＮ）を最適化するシステムであって、
隣接関係テーブルを含む少なくとも一つのＷｉＭＡＸフェムトセルアクセスポイント（ＷＦＡＰ）を備え、
前記少なくとも一つのＷＦＡＰが、隣接基地局情報の変化の検出に応答して前記隣接関係テーブルを更新するように構成されている、システム。
【請求項１３】
前記少なくとも一つのＷＦＡＰが、前記隣接基地局情報の変化を、一つ以上のＳＯＮサーバを用いて認証するように更に構成されている、請求項１２に記載のシステム。
【請求項１４】
前記少なくとも一つのＷＦＡＰが、前記ＳＯＮサーバの少なくとも一つに確認メッセージを送信するように更に構成されている、請求項１２に記載のシステム。
【請求項１５】
前記少なくとも一つのＷＦＡＰが、一つ以上の他のＷＦＡＰにそれぞれ関連付けられた一つ以上の他の隣接関係テーブルを、前記ＳＯＮサーバの少なくとも一つからの認証に応答して更新するように更に構成されている、請求項１２に記載のシステム。
【発明の詳細な説明】
【技術分野】
【０００１】
[0001]優先権は、２００９年１０月２８日に出願された米国仮特許出願第６１／２５５７１０号に対して米国特許法第１１９条の下で主張され、この仮出願の開示内容はその全体が参照によって本明細書に組み込まれている。
【０００２】
[0002]本発明の技術分野は、無線通信であり、特に、自己組織型ネットワーク（ＳＯＮ：ｓｅｌｆ−ｏｒｇａｎｉｚｅｄ  ｎｅｔｗｏｒｋ）の自動隣接関係（ＡＮＲ：ａｕｔｏｍａｔｉｃ  ｎｅｉｇｈｂｏｒ  ｒｅｌａｔｉｏｎ)である。
【背景技術】
【０００３】
[0003]セルラー通信システムは、通常、複数の基地局が対応する地理的区域にわたって無線通信サービスを提供するために効果的に配置されるように構成される。基地局によって提供されるその区域は、通常、セルと呼ばれる。様々な理由から、基地局は、付近の基地局に関する情報を有することが望ましい。これらの理由の一つは、移動局がセル間を移動する時にハンドオフを容易にするためである。そのような基地局のリストは、通常、隣接関係テーブル（ＮＲＴ：ｎｅｉｇｈｂｏｒ  ｒｅｌａｔｉｏｎ  ｔａｂｌｅ）と呼ばれる。
【０００４】
[0004]一般に、セルラーシステムでは、システムオペレータが、複数の基地局の相対的位置に基づいてネイバーリスト（隣接リスト）を手動で設定し、管理する。この手動操作は、ほとんど変化しないネットワークトポロジに対して効果的かもしれない。しかしながら、フェムトセルネットワークでは、ＷｉＭＡＸフェムトセルアクセスポイント（ＷＦＡＰ）がシステムオペレータによってだけではなくユーザによっても頻繁に設置又は撤去される可能性があり、システムオペレータがネイバーリストを効率良く管理することは困難である。従って、システムオペレータの隣接セル管理の負担を軽減するために、自動隣接関係（ＡＮＲ）方式が望まれている。
【０００５】
[0005]現在のＡＮＲ設計の一つの問題は、信頼できない隣接情報又は古い隣接情報である。ＷＦＡＰスキャニングは、ＷＦＡＰの初期化に限られる可能性がある。ＷＦＡＰは、付近の基地局をスキャニングすることによって、又はそのＷＦＡＰの位置に基づいてシステムオペレータからネイバーリストを取得することによって、隣接基地局情報を得るかもしれない。しかしながら、ＷＦＡＰの初期化に基づいて作成されたネイバーリストは、多くの理由から信頼できない可能性がある。例えば、隣接基地局がＷＦＡＰのネットワークサービスプロバイダ（ＮＳＰ）といかなるビジネス関係も有していないかもしれないし（ＷＦＡＰのＮＳＰ  ＩＤが隣接基地局と同じでない可能性があることにも留意されたい）、隣接基地局が動作可能な状態ではないかもしれないし（例えば、電源オン又はオフ）、あるいは隣接基地局が移動局からアクセスできないものかもしれない。
【０００６】
[0006]従って、ハンドオーバー操作の目的で、所与のＷＦＡＰ隣接基地局の識別子（ＩＤ）をむやみに選択すべきではない。むしろ、より信頼できる情報又は新しい情報が、移動局による隣接基地局選択のためのＡＮＲスキャニング操作を支援するためにＷＦＡＰに提供されるべきである。
【発明の概要】
【０００７】
[0007]ＷＦＡＰの初期化中に、自己設定（ｓｅｌｆ−ｃｏｎｆｉｇｕｒａｔｉｏｎ）のプロセスが使用される。自己設定のために、ＷＦＡＰは、ＷＦＡＰスキャニングに基づいて、又はそのＷＦＡＰの位置に基づいて、隣接基地局情報を取得してもよい。ＷＦＡＰの初期化の後は、自己最適化（ｓｅｌｆ−ｏｐｔｉｍｉｚａｔｉｏｎ）のプロセスが使用される。自己最適化のために、ＷＦＡＰ又は自己組織型ネットワーク（ＳＯＮ）サーバは、隣接基地局情報が変化したことを検出してもよい。
【０００８】
[0008]本発明の特定の実施形態は、ＷＦＡＰの周辺の最新のマクロ基地局情報及びＷＦＡＰ隣接基地局情報を得るために自動隣接関係操作を提供するＷｉＭＡＸ自己組織型ネットワークの最適化のためのシステム及び方法を提供する。
【０００９】
[0009]本発明の特定の実施形態によれば、ＷＦＡＰが隣接基地局情報の変化を検出する。その後、そのＷＦＡＰは、更新された隣接基地局情報を、認証のためにＳＯＮサーバに送信する。そのＳＯＮサーバから認証を受けた後、そのＷＦＡＰは、更新された隣接基地局情報を用いて、自らの隣接関係テーブルを更新する。
【００１０】
[0010]本発明の特定の実施形態によれば、ＳＯＮサーバが隣接基地局情報の変化を検出する。その後、そのＳＯＮサーバは、更新された隣接基地局情報をＷＦＡＰに送信する。
【００１１】
[0011]図面において、同様の参照番号は類似の構成要素を表す。
【図面の簡単な説明】
【００１２】
【図１】ＷＦＡＰが隣接基地局の情報の変化を検出する場合の信号伝達の一実施形態を示す。
【図２】ＳＯＮサーバが隣接基地局の情報の変化を検出する場合の信号伝達の一実施形態を示す。
【好ましい実施形態の詳細な説明】
【００１３】
[0014]以下では、図１を参照する。隣接する基地局の情報が変化したことをＷＦＡＰが検出する場合、それは、移動局（ＭＳ）がＭＯＢ＿ＳＣＮ−ＲＥＱ／ＲＥＰやＭＯＢ＿ＭＳＨＯ−ＲＥＱなどの関連メッセージを報告したことに起因するか、あるいは制御されていない又は予測されていないハンドオーバーイベントに起因する可能性がある。
【００１４】
[0015]隣接する基地局の情報の変化のＷＦＡＰ検出は、以下のステップ又は信号を用いて実現してもよい。第一に、ＷＦＡＰが、隣接する基地局の情報の変化を検出する。第二に、このＷＦＡＰは、Ｃｏｎｆｉｇｕｒａｔｉｏｎ  Ｕｐｄａｔｅ  Ｒｅｑ（設定更新要求）をＳＯＮサーバに送信する。このＣｏｎｆｉｇｕｒａｔｉｏｎ  Ｕｐｄａｔｅ  Ｒｅｑは、その隣接基地局の更新された情報を含んでいる。第三に、このＳＯＮサーバは、この隣接基地局情報の更新された情報を認証及び／又は検査する。このＳＯＮサーバは、さらに、一つ以上の他のＷＦＡＰのＮＲＴの更新を生じさせてもよい。第四に、このＳＯＮサーバは、Ｃｏｎｆｉｇｕｒａｔｉｏｎ  Ｕｐｄａｔｅ  Ｒｓｐ（設定更新応答）をＷＦＡＰに送信する。第五に、このＷＦＡＰは、自らのＮＲＴを更新する。第六に、このＷＦＡＰは、Ｃｏｎｆｉｇｕｒａｔｉｏｎ  Ｕｐｄａｔｅ  Ａｃｋ（設定更新確認）をＳＯＮサーバに送信する。
【００１５】
[0016]以下では、図２を参照する。隣接する基地局の情報が変化したことをＳＯＮサーバが検出する場合、それは、何らかの警告情報に起因する可能性がある。例えば、隣接するＢＳ（基地局）又はＷＦＡＰが動作していない（例えば、バックホールオフライン）かもしれないし、新しいＢＳ又はＷＦＡＰの設置や既存の基地局（ＢＳ）又はＷＦＡＰの撤去など、何らかの設定情報かもしれないし、あるいはＮＲＴ検査（例えば、セルＡがセルＢの隣接セルならば、通常、セルＢもセルＡの隣接セルである）かもしれない。
【００１６】
[0017]隣接基地局情報の変化のＳＯＮサーバによる検出は、以下のステップ又は信号を用いて実現してもよい。第一に、ＳＯＮサーバが、隣接基地局の情報の変化を検出する。第二に、このＳＯＮサーバは、Ｃｏｎｆｉｇｕｒａｔｉｏｎ  Ｕｐｄａｔｅ  Ｒｅｑ（設定更新要求）を一つ以上のＷＦＡＰに送信する。このＣｏｎｆｉｇｕｒａｔｉｏｎ  Ｕｐｄａｔｅ  Ｒｅｑは、その隣接基地局の更新された情報を含んでいる。第三に、この一つ以上のＷＦＡＰは、自らのＮＲＴを更新する。第四に、この一つ以上のＷＦＡＰは、Ｃｏｎｆｉｇｕｒａｔｉｏｎ  Ｕｐｄａｔｅ  Ａｃｋ（設定更新確認）をＳＯＮサーバに送信する。
【００１７】
[0018]本発明の実施形態を図示して説明したが、本明細書における発明概念から逸脱することなく更に多くの変形が可能であることは当業者にとって明らかであろう。従って、本発明は、特許請求の範囲の趣旨以外に限定されるものではない。
【図１】
2013509816.tif 000003
【図２】
2013509816.tif 000004
【国際調査報告】
2013509816.tif 000005